(57)【要約】【課題】メモリ容量の増加を抑えつつ、サムネイル画像の高速切り換え表示を可能とする。【解決手段】システムコントローラ１０は、光ディスク１に記録されている画像ファイルからサムネイル画像を生成してメモリ部１１のサムネイル画像記憶領域１１ａに保存するサムネイル画像生成処理機能と、サムネイル画像記憶領域１１ａに保存したサムネイル画像を、予め設定されている所定枚数分を１ページとして表示装置２１に表示するサムネイル画像表示制御処理機能とを備え、システムコントローラ１０は、リモコン送信機１８からサムネイル画像の表示指示が入力されると、サムネイル画像記憶領域１１ａが一杯になるまで、光ディスク１に保存されている画像ファイルからサムネイル画像を順次生成して保存するとともに、サムネイル画像記憶領域１１ａに保存されているサムネイル画像を１ページ分を読み出して表示装置２１に表示する。【選択図】図１
2009290391.tif 000002
【特許請求の範囲】
【請求項１】
第１メモリ部に保存している画像ファイルからサムネイル画像を生成して第２メモリ部に保存するサムネイル画像生成手段と、
前記第２メモリ部に保存したサムネイル画像を、予め設定されている所定枚数分を１ページとして表示部に表示するサムネイル画像表示制御手段と、
サムネイル画像の表示及びページ切り換えを指示する指示手段とを備え、
前記サムネイル画像生成手段は、前記指示手段からサムネイル画像の表示指示が入力されると、前記第２メモリ部が一杯になるまで、前記第１メモリ部に保存されている画像ファイルからサムネイル画像を順次生成して保存し、
前記表示制御手段は、前記指示手段からサムネイル画像の表示指示が入力されると、前記第２メモリ部に保存されているサムネイル画像を前記１ページ分を読み出して前記表示部に表示し、前記指示手段からサムネイル画像のページ切り換え指示が入力されると、前記第２メモリ部に保存されているサムネイル画像の次の１ページ分を読み出して前記表示部に表示することを特徴とする光ディスク装置。
【請求項２】
請求項１記載の光ディスク装置において、
前記サムネイル画像生成手段は、前記指示手段による次ページへの切り換え指示によって前記第２メモリ部に保存されているサムネイル画像の最後の１ページ分の手前の１ページ分が前記表示部に表示された場合には、表示された前記手前の１ページ分を含む前後１ページ分を残して他のサムネイル画像を前記第２メモリ部から消去し、この後、前記第２メモリ部が一杯になるまで、前記第１メモリ部に保存している残りの画像ファイルからサムネイル画像を順次生成して前記第２メモリ部に保存することを特徴とする光ディスク装置。
【請求項３】
第１メモリ部に保存している画像ファイルからサムネイル画像を生成して第２メモリ部に保存するサムネイル画像生成手段と、
前記第２メモリ部に保存したサムネイル画像を、予め設定されている所定枚数分を１ページとして表示部に表示するサムネイル画像表示制御手段と、
サムネイル画像の表示及びページ切り換えを指示する指示手段とを備え、
前記サムネイル画像生成手段は、前記指示手段からサムネイル画像の表示指示が入力されると、前記第１メモリ部に保存されている画像ファイルから最初に表示する１ページ分を含む前後２ページ分のサムネイル画像を生成して保存し、
前記表示制御手段は、前記指示手段からサムネイル画像の表示指示が入力されると、前記第２メモリ部に保存されているサムネイル画像の最初に表示する１ページ分を読み出して前記表示部に表示し、前記指示手段からサムネイル画像の次のページまたは前のページへの切り換え指示が入力されると、前記第２メモリ部に保存されているサムネイル画像の次の１ページ分または前の１ページ分を読み出して前記表示部に表示する一方、前記第１メモリ部に保存している残りの画像ファイルから、現在表示している１ページ分の次の１ページ分または前の１ページ分のサムネイル画像を生成して前記第２メモリ部に保存することを特徴とする光ディスク装置。
【請求項４】
請求項１ないし請求項３のいずれか１項に記載の光ディスク装置において、
前記１ページ分の所定枚数をユーザ操作により切り換える切換手段を備えており、
前記サムネイル画像生成手段は、前記切換手段にて切り換えられた所定枚数を１ページ分としてサムネイル画像の生成処理を実施し、
前記画像表示制御手段は、前記切換手段にて切り換えられた所定枚数を１ページ分として前記第２メモリ部からの１ページ分のサムネイル画像の読み出し及び前記表示部への表示を制御することを特徴とする光ディスク装置。
【請求項５】
請求項１ないし請求項４のいずれか１項に記載の光ディスク装置において、
前記第１メモリ部に保存されている画像ファイルが動画ファイルまたは静止画ファイルであることを特徴とする光ディスク装置。
【発明の詳細な説明】
【技術分野】
【０００１】
本発明は、メモリ部に保存している画像ファイルからサムネイル画像を生成して表示部に表示する光ディスク装置に関する。
【背景技術】
【０００２】
メモリ部に保存している画像ファイルから所定枚数（例えば、６枚）のサムネイル画像を生成して表示部に表示する場合、従来は、メモリ部に保存している１つの画像ファイルを読み込み、これを例えばＹＣ形式でデコードし、ＹＣ形式をサムネイル画像サイズでビットマップ形式に変換してＲＡＭに保存し、保存したデータを例えばＤｉｒｅｃｔＦＢ（Linux Frame Buffer Device上で実行されるグラフィックスＡＰＩ）でＯＳＤプレーンに表示する。この処理を、表示部に６枚のサムネイル画像を表示するまで繰り返し、６枚のサムネイル画像を表示すると、ユーザキーイベント待ち状態となる。そして、ユーザが次のページ（画面）を表示するようにキー操作を行うと、これを受けて次の６枚を表示すべく、上記の処理を行うようになっている。
【０００３】
このように、所定枚数（６枚）のサムネイル画像を表示部に表示する場合、ユーザキーイベントがあるたびに上記の処理を行って次の６枚のサムネイル画像を表示部に表示しているため、ユーザによるキー操作後、次のページのサムネイル画像が表示されるまでに若干の時間がかかり、ページ切り換えの動作がスムーズに行われないといった問題があった。
【０００４】
そこで、このような問題を解決すべく、メモリ部に保存している画像ファイルからサムネイル画像をより高速に生成して表示部に表示する装置ないし方法が提案されている（例えば、特許文献１，２等参照）。
【０００５】
特許文献１には、記録媒体に記録された画像データのランダム表示のために、各画像データファイルに対応するサムネイル画像データを集めたサムネイルファイルをランダムに読み出してバッファメモリ手段にバッファリングし、そのバッファメモリ手段に格納されたサムネイルファイルから、ランダムにサムネイル画像データを選択して表示出力させていく再生装置が開示されている。
【０００６】
また、特許文献２には、ディスクメディアのような記録媒体に画像データを記録してサムネイル画像を閲覧する装置において、再生時に最初に表示画面に一覧表示されるサムネイル画像を、記録時にサムネイル画像ファイルの所定位置に記憶させてティスクメディアに記録するようにしたことにより、より高速にサムネイル画像を閲覧できる記録再生装置が開示されている。
【特許文献１】特開２００６−１５７３８４号公報
【特許文献２】特開２００６−１１４１９９号公報
【発明の開示】
【発明が解決しようとする課題】
【０００７】
上記特許文献１では、ランダム再生に際して、サムネイル画像データを集めたサムネイルファイルを事前に用意し、このサムネイルファイルをランダムに読み出してバッファメモリ手段にバッファリングし、そのバッファメモリ手段に格納されたサムネイルファイルから、ランダムにサムネイル画像データを選択して表示出力させている。すなわち、事前に用意するサムネイルファイルを保存するためのメモリと、メモリに保存しているサムネイルファイルをランダムに読み出してバッファリングするバッファメモリとの２つのメモリが必要となる。つまり、同じサムネイルファイルを保存するために多くのメモリ容量を確保する必要があるといった問題があった。
【０００８】
また、上記特許文献２では、サムネイル画像をディスクメディアに記録しているため、サムネイル画像を表示するためには当該ディスクメディア自体を再生しなければならず、依然としてサムネイル画像の切り換え表示の高速化に限界があるといった問題があった。すなわち、例えば６枚のサムネイル画像を表示部に表示する場合、上記従来の技術で説明した処理をディスクメディアに対して行う必要があるため、物理的にも高速処理に限界があった。
【０００９】
本発明はかかる問題点を解決すべく創案されたもので、その目的は、メモリ容量の増加を抑えつつ、サムネイル画像の高速切り換え表示を可能とした光ディスク装置を提供することにある。
【課題を解決するための手段】
【００１０】
上記目的を達成するため、本発明の光ディスク装置は、第１メモリ部に保存している画像ファイルからサムネイル画像を生成して第２メモリ部に保存するサムネイル画像生成手段と、前記第２メモリ部に保存したサムネイル画像を、予め設定されている所定枚数分を１ページとして表示部に表示するサムネイル画像表示制御手段と、サムネイル画像の表示及びページ切り換えを指示する指示手段とを備え、前記サムネイル画像生成手段は、前記指示手段からサムネイル画像の表示指示が入力されると、前記第２メモリ部が一杯になるまで、前記第１メモリ部に保存されている画像ファイルからサムネイル画像を順次生成して保存し、前記表示制御手段は、前記指示手段からサムネイル画像の表示指示が入力されると、前記第２メモリ部に保存されているサムネイル画像を前記１ページ分を読み出して前記表示部に表示し、前記指示手段からサムネイル画像のページ切り換え指示が入力されると、前記第２メモリ部に保存されているサムネイル画像の次の１ページ分を読み出して前記表示部に表示することを特徴としている。
【００１１】
すなわち、サムネイル画像生成手段は、指示手段からサムネイル画像の表示指示が入力されると、第２メモリ部が一杯になるまで、第１メモリ部に保存されている画像ファイルからサムネイル画像を順次生成して保存するようになっている。具体的には、メモリ部に保存している画像ファイルから所定枚数（例えば、６枚）のサムネイル画像を生成して表示部に表示する場合に、メモリ部に保存している１つの画像ファイルを読み込み、これをＹＣ形式でデコードし、ＹＣ形式をサムネイル画像サイズでビットマップ形式に変換して第２メモリ部に保存し、保存したデータをＤｉｒｅｃｔＦＢで表示部にＯＳＤ表示する。この処理を、表示部に６枚のサムネイル画像を表示するまで繰り返し、６枚のサムネイル画像を表示すると、ユーザキーイベント待ちすることなく、第２メモリ部が一杯になるまで、さらに上記の処理を繰り返して、サムネイル画像を第２メモリ部に保存する。これにより、ユーザによって次ページへのページ切り換え指示が入力されたとき、表示制御手段は、第２メモリ部に保存されているサムネイル画像の次の１ページ分を読み出して表示部に表示することができるので、サムネイル画像のページ切り換え直後に次ページの全てのサムネイル画像を迅速に表示することができる。すなわち、ページの切り換え動作を高速に行うことが可能となる。
【００１２】
この場合、前記サムネイル画像生成手段は、前記指示手段による次ページへの切り換え指示によって前記第２メモリ部に保存されているサムネイル画像の最後の１ページ分の手前の１ページ分が前記表示部に表示された場合には、表示された前記手前の１ページ分を含む前後１ページ分を残して他のサムネイル画像を前記第２メモリ部から消去し、この後、前記第２メモリ部が一杯になるまで、前記第１メモリ部に保存している残りの画像ファイルからサムネイル画像を順次生成して前記第２メモリ部に保存するように構成している。これにより、第２メモリ部に保存されている最後の１ページ分を表示する前に、既に表示し終えた前のページのサムネイル画像を全て消去してメモリ領域を確保し、その後に続くサムネイル画像を第２メモリ部の一杯まで保存することができるので、その後に続くページ切り換え動作をスムーズに継続して行くことが可能となる。また、第２メモリ部にサムネイル画像を保存する処理動作も、頻繁に行う必要がないので、サムネイル画像生成手段の処理負荷も軽減され、ひいては消費電力を低減することも可能となる。
【００１３】
また、本発明の光ディスク装置は、第１メモリ部に保存している画像ファイルからサムネイル画像を生成して第２メモリ部に保存するサムネイル画像生成手段と、前記第２メモリ部に保存したサムネイル画像を、予め設定されている所定枚数分を１ページとして表示部に表示するサムネイル画像表示制御手段と、サムネイル画像の表示及びページ切り換えを指示する指示手段とを備え、前記サムネイル画像生成手段は、前記指示手段からサムネイル画像の表示指示が入力されると、前記第１メモリ部に保存されている画像ファイルから最初に表示する１ページ分を含む前後２ページ分のサムネイル画像を生成して保存し、前記表示制御手段は、前記指示手段からサムネイル画像の表示指示が入力されると、前記第２メモリ部に保存されているサムネイル画像の最初に表示する１ページ分を読み出して前記表示部に表示し、前記指示手段からサムネイル画像の次のページまたは前のページへの切り換え指示が入力されると、前記第２メモリ部に保存されているサムネイル画像の次の１ページ分または前の１ページ分を読み出して前記表示部に表示する一方、前記第１メモリ部に保存している残りの画像ファイルから、現在表示している１ページ分の次の１ページ分または前の１ページ分のサムネイル画像を生成して前記第２メモリ部に保存することを特徴としている。
【００１４】
すなわち、本発明の光ディスク装置は、現在表示している１ページ分を含む前後２ページ分の合計３ページ分のサムネイル画像のみを常に第２メモリ部に保存する構成としたので、第２メモリ部のメモリ容量を必要最小限に抑えることができる。すなわち、第２メモリ部として容量の少ない（すなわち、コストの安い）半導体メモリを用いることができる。逆に言えば、第２メモリ部に十分な容量があった場合に、サムネイル画像を保存する領域以外の余った領域を光ディスク装置の他の制御に利用することが可能となり、第２メモリ部の有効利用が可能となる。
【００１５】
また、本発明の光ディスク装置は、前記１ページ分の所定枚数をユーザ操作により切り換える切換手段を備えており、前記サムネイル画像生成手段は、前記切換手段にて切り換えられた所定枚数を１ページ分としてサムネイル画像の生成処理を実施し、前記画像表示制御手段は、前記切換手段にて切り換えられた所定枚数を１ページ分として前記第２メモリ部からの１ページ分のサムネイル画像の読み出し及び前記表示部への表示を制御するように構成してもよい。
【００１６】
例えば、１ページ分の表示枚数として６枚表示と１２枚表示の２種類が予め用意されているものとし、ユーザが切換手段である例えばリモコン送信機の切換ボタンを操作して、１ページ分の表示枚数を６枚から１２枚に変更した場合には、サムネイル画像生成手段は、１２枚を１ページ分としてサムネイル画像の生成処理を実施する。具体的には、本発明の光ディスク装置が、現在表示している１ページ分を含む前後２ページ分の合計３ページ分のサムネイル画像を第２メモリ部に常に保存する構成である場合、サムネイル画像生成手段は、３ページ分の３６枚のサムネイル画像を生成すると一旦処理を終了し、切換手段からページの切り換え指示が入力されると、その指示に従って前ページまたは次ページの１２枚分のサムネイル画像の生成を行う。また、画像表示制御手段は、１２枚を１ページ分として第２メモリ部からの１ページ分のサムネイル画像の読み出し及び表示部への表示を制御する。
【００１７】
なお、本発明において、前記第１メモリ部に保存されている画像ファイルは、動画ファイルまたは静止画ファイルのいずれのファイルであっても、またはその両方であってもよい。動画ファイルとしてはＭＰＥＧファイルがあり、静止画ファイルとしてはＪＰＥＧファイルがある。
【発明の効果】
【００１８】
本発明によれば、ユーザによって次ページへのページ切り換え指示が入力されたとき、表示制御手段は、第２メモリ部に保存されているサムネイル画像の次の１ページ分を読み出して表示部に表示することができるので、サムネイル画像のページ切り換え直後に次ページの全てのサムネイル画像を迅速に表示することができる。すなわち、ページの切り換え動作を高速に行うことができる。
【００１９】
また、本発明によれば、現在表示している１ページ分を含む前後２ページ分の合計３ページ分のサムネイル画像のみを常に第２メモリ部に保存する構成としたので、第２メモリ部のメモリ容量を必要最小限に抑えることができる。すなわち、第２メモリ部として容量の少ない（すなわち、コストの安い）半導体メモリを用いることができる。一方、第２メモリ部に十分な容量があった場合には、サムネイル画像を保存する領域以外の余った領域を光ディスク装置の他の制御に利用することが可能となり、第２メモリ部の有効利用が可能となる。
【発明を実施するための最良の形態】
【００２０】
以下、本発明の実施の形態について、図面を参照して説明する。
【００２１】
図１は、本発明の光ディスク装置の一実施形態であるＨＤ−ＤＶＤレコーダまたはＢＤ（ブルーレイディスク：Blu-ray Disc）レコーダのシステム構成を示している。
【００２２】
装填された光ディスク１にデータを書き込むとともに光ディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、装置全体の動作制御を行うシステムコントローラ１０と双方向に接続されている。
【００２３】
デジタル信号処理回路７には、記録動作時や再生動作時にデータを一時的に蓄積するバッファとしてのＤＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、デジタルのテレビジョン放送信号を受信するチューナ回路（ＢＳチューナ，ＣＳチューナ等）１６が接続されている。
【００２４】
システムコントローラ１０には、光ディスク１のパラメータやレーザパワーのパラメータを初め、当該光ディスク１に割り振られたメーカー名等の固有情報を格納しておくための不揮発性メモリである例えばフラッシュメモリやＥＥＰＲＯＭ等からなるメモリ部１１が双方向に接続されているとともに、リモコン送信機１８からの赤外線信号を受信する受信部１４と装置本体前面に設けられたキー入力部１５とが接続されている。また、システムコントローラ１０には、装置本体前面に設けられたＬＣＤ等からなる表示パネル１３が接続されている。
【００２５】
メモリ部１１には、光ディスク１に記録されている画像ファイルから生成されたサムネイル画像を記憶するサムネイル画像記憶領域１１ａが設けられている。また、リモコン送信機１８には、図示は省略しているが、サムネイル画像の表示及びページ（画面）切り換えを指示する指示ボタンが設けられている。
【００２６】
デジタル信号処理回路７は、光ピックアップ３によって読み込まれたデータを処理する機能を有しており、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、復調したオーディオデータを音声伸長処理してＤ／Ａ変換回路１２に出力する。Ｄ／Ａ変換回路１２は、音声伸長処理されたオーディオデータをアナログ信号に変換して出力する。また、デジタル信号処理回路７は、チューナ回路１６によって受信されたデジタルのテレビジョン放送信号を、光ディスク１に書き込むためのデータ圧縮等の処理を行う。
【００２７】
システムコントローラ１０は、図示は省略しているがＣＰＵ、ＲＯＭ、ＲＡＭ等から構成されており、ファイナライズキーのキー操作により、装填されている光ディスク１のファイナライズ処理を実行する。この処理を実行するためのプログラムはＲＯＭに予め格納されており、システムコントローラ１０は、ファイナライズ処理の実行時にはＲＯＭから読み込んだプログラムをＲＡＭ上に展開して処理を実行する。
【００２８】
また、システムコントローラ１０は、リモコン送信機１８の指示ボタンが操作されてサムネイル画像の表示が指示されると、光ディスク１に記録されている画像ファイルからサムネイル画像を生成してメモリ部１１のサムネイル画像記憶領域１１ａに記憶（保存）するサムネイル画像生成処理と、サムネイル画像記憶領域１１ａに保存したサムネイル画像を、予め設定されている所定枚数分を１ページ（１画面）として表示装置２１に表示するサムネイル画像表示制御処理とを実行する。
【００２９】
以下、リモコン送信機１８の指示ボタンが操作されたときの、サムネイル画像生成及び表示処理と、サムネイル画像の更新保存処理の実施例について説明する。ただし、ここでは、光ディスク1に記録されている画像ファイルが静止画データであるＪＰＥＧファイルである場合について説明する。
【００３０】
＜実施例１＞
図２は、本実施例１に係るサムネイル画像生成及び表示処理の処理手順を示すフローチャートである。以下、図２に示すフローチャートを参照して、本実施例１の処理動作を説明する。ただし、ここではサムネイル画像を表示装置２１に表示する場合に、６枚のサムネイル画像を１ページ分（すなわち、１画面）として表示装置２１に表示するものとする。すなわち、サムネイル画像が６枚単位で切り換わっていくものとする。
【００３１】
リモコン送信機１８の指示ボタンが操作されると、その指示信号は受信部１４を介してシステムコントローラ１０に入力される。システムコントローラ１０は、この指示信号に基づいてサムネイル画像の表示処理を実施する。
【００３２】
すなわち、システムコントローラ１０は、リモコン送信機１８からサムネイル画像の表示指示が入力されると、光ディスク１に記録（保存）されている複数の画像ファイルを光ピックアップ３によって順次読み込み（ステップＳ１）、その読み込んだ１つの画像ファイルから１つのサムネイル画像を順次生成して、サムネイル画像記憶領域１１ａに記憶（保存）する（ステップＳ２）。具体的に説明すると、光ディスク１に記録している１つの画像ファイルを読み込み、これをＹＣ形式でデコードし、ＹＣ形式をサムネイル画像サイズでビットマップ形式に変換してメモリ部１１のサムネイル画像記憶領域１１ａに保存する。なお、光ディスク１から画像ファイルを読み込む順番は、一般的には光ディスク１への記録の古い順である。従って、最初に読み込む画像ファイルは、基本的には最も古い画像ファイルである。
【００３３】
次に、表示装置２１に６枚のサムネイル画像が表示されているか否かを確認し（ステップＳ３）、６枚まで表示されていない場合（ステップＳ３でＮｏと判断した場合）には、保存したサムネイル画像をＤｉｒｅｃｔＦＢで表示装置２１にＯＳＤ表示する（ステップＳ４）。
【００３４】
次に、システムコントローラ１０は、サムネイル画像記憶領域１１ａがサムネイル画像で一杯になっているか否かを確認し（ステップＳ５）、一杯になっていなければ、ステップＳ１に戻って、次のサムネイル画像の処理を開始する。システムコントローラ１０は、このステップＳ１〜ステップＳ５の処理を、表示装置２１に1ページ分である６枚のサムネイル画像を表示するまで繰り返し、６枚のサムネイル画像を表示すると（ステップＳ３でＹｅｓと判断されると）、表示に関してはリモコン送信機１８から次ページまたは前ページへの切り換え指示が入力されるまで、そのページを表示し続けることになる。
【００３５】
一方、システムコントローラ１０は、サムネイル画像の保存に関しては、ユーザからのキーイベント待ちをすることなく、サムネイル画像記憶領域１１ａがサムネイル画像で一杯になるまで（ステップＳ５でＹｅｓと判断されるまで）、さらに上記のステップＳ１〜ステップＳ５の処理を繰り返すことになる。これにより、サムネイル画像記憶領域１１ａには、その領域のメモリ容量一杯までサムネイル画像が保存されることになる。サムネイル画像が一杯まで保存されると、サムネイル画像生成処理は一旦終了となる。
【００３６】
次に、システムコントローラ１０は、サムネイル画像の表示終了の指示が入力されたか否か（ステップＳ６）、または、ユーザによってページ切り換え指示が入力されたか否か（ステップＳ７）を監視し、リモコン送信機１８からページ切り換え指示が入力されると（ステップＳ７でＹｅｓと判断されると）、その指示が次ページへの切り換え指示であるのか、前ページへの切り換え指示であるのかを確認する（ステップＳ８）。
【００３７】
その結果、次ページへの切り換え指示である場合（ステップＳ８でＹｅｓと判断された場合）には、サムネイル画像記憶領域１１ａに保存されているサムネイル画像の次の１ページ分（６枚のサムネイル画像）を読み出して表示装置２１に表示し（ステップＳ９）、ステップＳ６に戻る。
【００３８】
一方、前ページへの切り換え指示である場合（ステップＳ８でＮｏと判断された場合）には、サムネイル画像記憶領域１１ａに保存されているサムネイル画像の前の１ページ分（６枚のサムネイル画像）を読み出して表示装置２１に表示し（ステップＳ１０）、ステップＳ６に戻る。
【００３９】
そして、このようなサムネイル画像の表示状態において、リモコン送信機１８から表示されている任意のサムネイル画像の選択指示が入力された場合、またはサムネイル画像の表示処理自体の終了指示が入力された場合（ステップＳ６でＹｅｓと判断された場合）には、その指示に従った処理に移行して、サムネイル画像表示処理を終了する。
【００４０】
このように、本実施例１によれば、サムネイル画像のページ切り換え指示があった場合には、サムネイル画像記憶領域１１ａからサムネイル画像を直接読み出すことで、指示直後に、次に表示すべきページの全てのサムネイル画像を迅速に表示することができる。すなわち、ページの切り換え動作を高速に行うことが可能となるものである。
【００４１】
次に、サムネイル画像記憶領域１１ａへのサムネイル画像の保存更新処理について、図３に示すフローチャートを参照して説明する。
【００４２】
システムコントローラ１０は、上記図２で説明した処理と並行して、サムネイル画像の更新保存処理を実施する。
【００４３】
すなわち、システムコントローラ１０は、ページ切り換え指示によって、現在表示されているページの次のページを含む残りのサムネイル画像が６枚以下か、または前のページを含む残りのサムネイル画像が６枚以下かを監視する（ステップＳ２１，Ｓ２２）。具体的には、サムネイル画像記憶領域１１ａに保存されているサムネイル画像の最後の１ページ分の手前の１ページ分、または最初の１ページ分の次の１ページ分が表示装置２１に表示されたか否かを監視する。
【００４４】
その結果、最後の１ページ分のサムネイル画像が６枚以下である場合（ステップＳ２２でＹｅｓと判断された場合）には、表示された手前の１ページ分を含む前後１ページ分を残して他のサムネイル画像をサムネイル画像記憶領域１１ａから全て消去し（ステップＳ２３）、この後、サムネイル画像記憶領域１１ａが一杯になるまで（ステップＳ２６でＹｅｓと判断されるまで）、光ディスク１に保存している残りの（続きの）画像ファイルからサムネイル画像を順次生成してサムネイル画像記憶領域１１ａに保存する（ステップＳ２４，Ｓ２５）。
【００４５】
一方、最初の１ページ分のサムネイル画像が６枚以下である場合（ステップＳ２２でＮｏと判断された場合）には、表示された次の１ページ分を含む前後１ページ分を残して他のサムネイル画像をサムネイル画像記憶領域１１ａから全て消去し（ステップＳ２７）、この後、サムネイル画像記憶領域１１ａが一杯になるまで（ステップＳ３０でＹｅｓと判断されるまで）、光ディスク１に保存している前側（すなわち、古い側）の画像ファイルに遡るようにして、サムネイル画像を順次生成してサムネイル画像記憶領域１１ａに保存する（ステップＳ２８，Ｓ２９）。
【００４６】
このように、ページ切り換えが順次行われて、表示ページがサムネイル画像記憶領域１１ａに保存されている最後の１ページ分または最初の１ページ分に近づくと、その続きのページを事前にサムネイル画像記憶領域１１ａに更新保存することで、最後のページを表示した後の次ページへの切り換え指示、または最初のページを表示した後の前ページへの切り換え指示があった場合に、ページ切り換えの高速処理をスムーズに継続して行うことが可能となる。
【００４７】
＜実施例２＞
図４は、本実施例２に係るサムネイル画像生成及び表示処理とサムネイル画像記憶領域の更新保存処理の処理手順を示すフローチャートである。以下、図４に示すフローチャートを参照して、本実施例２の処理動作を説明する。ただし、ここではサムネイル画像を表示装置２１に表示する場合に、６枚のサムネイル画像を１ページ分（すなわち、１画面）として表示装置２１に表示するものとする。すなわち、サムネイル画像が６枚単位で切り換わっていくものとする。
【００４８】
リモコン送信機１８の指示ボタンが操作されると、その指示信号は受信部１４を介してシステムコントローラ１０に入力される。システムコントローラ１０は、この指示信号に基づいてサムネイル画像の表示処理を実施する。
【００４９】
すなわち、システムコントローラ１０は、リモコン送信機１８からサムネイル画像の表示指示が入力されると、光ディスク１に記録（保存）されている複数の画像ファイルを光ピックアップ３によって順次読み込み（ステップＳ４１）、その読み込んだ１つの画像ファイルから１つのサムネイル画像を順次生成して、サムネイル画像記憶領域１１ａに記憶（保存）する（ステップＳ４２）。具体的に説明すると、光ディスク１に記録している１つの画像ファイルを読み込み、これをＹＣ形式でデコードし、ＹＣ形式をサムネイル画像サイズでビットマップ形式に変換してメモリ部１１のサムネイル画像記憶領域１１ａに保存する。なお、光ディスク１から画像ファイルを読み込む順番は、一般的には光ディスク１への記録の古い順である。従って、最初に読み込む画像ファイルは、基本的には最も古い画像ファイルである。
【００５０】
次に、表示装置２１に６枚のサムネイル画像が表示されているか否かを確認し（ステップＳ４３）、６枚まで表示されていない場合（ステップＳ４３でＮｏと判断した場合）には、保存したサムネイル画像をＤｉｒｅｃｔＦＢで表示装置２１にＯＳＤ表示する（ステップＳ４４）。
【００５１】
次に、システムコントローラ１０は、サムネイル画像記憶領域１１ａがサムネイル画像が現在の表示ページを含む前後１ページ分のサムネイル画像（すなわち、１８枚のサムネイル画像）が保存されているか否かを確認し（ステップＳ４５）、１８枚のサムネイル画像が保存されていなければ、ステップＳ４１に戻って、次のサムネイル画像の処理を開始する。システムコントローラ１０は、このステップＳ４１〜ステップＳ４５の処理を、表示装置２１に1ページ分である６枚のサムネイル画像を表示するまで繰り返し、６枚のサムネイル画像を表示すると（ステップＳ４３でＹｅｓと判断されると）、表示に関してはリモコン送信機１８から次ページまたは前ページへの切り換え指示が入力されるまで、そのページを表示し続けることになる。
【００５２】
一方、システムコントローラ１０は、サムネイル画像の保存に関しては、ユーザからのキーイベント待ちをすることなく、サムネイル画像記憶領域１１ａに１８枚のサムネイル画像が保存されるまで（ステップＳ４５でＹｅｓと判断されるまで）、さらに上記のステップＳ４１〜ステップＳ４５の処理を繰り返すことになる。これにより、サムネイル画像記憶領域１１ａには、現在表示している１ページ分を含む前後１ページ分の合計１８枚のサムネイル画像が保存されることになる。１８枚のサムネイル画像が保存されると、サムネイル画像生成処理は一旦終了となる。
【００５３】
次に、システムコントローラ１０は、サムネイル画像の表示終了の指示が入力されたか否か（ステップＳ４６）、または、ユーザによってページ切り換え指示が入力されたか否か（ステップＳ４７）を監視し、リモコン送信機１８からページ切り換え指示が入力されると（ステップＳ４７でＹｅｓと判断されると）、その指示が次ページへの切り換え指示であるのか、前ページへの切り換え指示であるのかを確認する（ステップＳ４８）。
【００５４】
その結果、次ページへの切り換え指示である場合（ステップＳ４８でＹｅｓと判断された場合）には、サムネイル画像記憶領域１１ａに保存されているサムネイル画像の次の１ページ分（６枚のサムネイル画像）を読み出して表示装置２１に表示する（ステップＳ４９）。次に、システムコントローラ１０は、サムネイル画像記憶領域１１ａに保存しているサムネイル画像のうち、現在表示しているページの２ページ前の６枚のサムネイル画像を消去し（ステップＳ５０）、光ディスク１に記録されている残りの画像ファイルを光ピックアップ３によって順次読み込み（ステップＳ５１）、その読み込んだ画像ファイルからサムネイル画像を順次生成して、サムネイル画像記憶領域１１ａに保存する（ステップＳ５２）。システムコントローラ１０は、このステップＳ５１，Ｓ５２の処理を、サムネイル画像記憶領域１１ａに1ページ分である６枚のサムネイル画像を保存するまで繰り返し（ステップＳ５３）、次の６枚のサムネイル画像の保存を終了すると（ステップＳ５３でＹｅｓと判断されると）、ステップＳ４６に戻って、ページ切り換え指示の入力待ちとなる。
【００５５】
一方、ステップＳ４８の判断が、前ページへの切り換え指示である場合（Ｎｏと判断された場合）には、サムネイル画像記憶領域１１ａに保存されているサムネイル画像の前の１ページ分（６枚のサムネイル画像）を読み出して表示装置２１に表示する（ステップＳ５４）。次に、システムコントローラ１０は、サムネイル画像記憶領域１１ａに保存しているサムネイル画像のうち、現在表示しているページの２ページ後の６枚のサムネイル画像を消去し（ステップＳ５５）、光ディスク１に記録されている画像ファイルのうち、手前側の（より古い）画像ファイルを光ピックアップ３によって順次読み込み（ステップＳ５６）、その読み込んだ画像ファイルからサムネイル画像を順次生成して、サムネイル画像記憶領域１１ａに保存する（ステップＳ５７）。システムコントローラ１０は、このステップＳ５６，Ｓ５７の処理を、サムネイル画像記憶領域１１ａに1ページ分である６枚のサムネイル画像を保存するまで繰り返し（ステップＳ５８）、前の６枚のサムネイル画像の保存を終了すると（ステップＳ５８でＹｅｓと判断されると）、ステップＳ４６に戻って、ページ切り換え指示の入力待ちとなる。
【００５６】
そして、このようなサムネイル画像の表示状態において、リモコン送信機１８から表示されている任意のサムネイル画像の選択指示が入力された場合、またはサムネイル画像の表示処理自体の終了指示が入力された場合（ステップＳ４６でＹｅｓと判断された場合）には、その指示に従った処理に移行して、サムネイル画像表示処理を終了する。
【００５７】
このように、本実施例２によれば、サムネイル画像のページ切り換え指示があった場合には、サムネイル画像記憶領域１１ａからサムネイル画像を直接読み出すことで、指示直後に、次に表示すべきページの全てのサムネイル画像を迅速に表示することができる。すなわち、ページの切り換え動作を高速に行うことが可能となるものである。
【００５８】
また、現在表示している１ページ分を含む前後２ページ分の合計３ページ分のサムネイル画像のみを常にサムネイル画像記憶領域１１ａに保存する構成としたので、サムネイル画像記憶領域１１ａのメモリ容量を必要最小限に抑えることができる。これにより、メモリ部１１に十分な容量があった場合に、サムネイル画像を保存する領域以外の余った領域を光ディスク装置の他の制御に利用することが可能となり、メモリ部１１の有効利用が可能となる。
【００５９】
上記実施例１，２では、表示装置２１に表示するサムネイル画像の表示枚数、すなわち１ページ分を６枚の固定として説明しているが、この１ページ分の表示枚数をユーザ操作により切り換え可能としてもよい。
【００６０】
例えば、１ページ分の表示枚数として６枚表示と１２枚表示の２種類が予め用意されているものとし、ユーザがリモコン送信機１８の図示しない切換ボタンを操作して、１ページ分の表示枚数を６枚から１２枚に変更した場合には、システムコントローラ１０は、１２枚を１ページ分としてサムネイル画像の生成処理を実施し、１ページ分を１２枚とするサムネイル画像の表示処理を実施する。これらの処理は、１ページが１２枚である以外、上記実施例１及び実施例２で説明した処理と同じである。また、上記説明では、表示枚数を６枚または１２枚のいずれかから選択する構成としているが、この表示枚数をユーザが任意に設定できるようにしてもよい。例えば、リモコン送信機１８を操作してメニュー画面からサムネイル画像の表示枚数の設定画面に移行し、その画面上で表示枚数を設定できるようにしてもよい。これにより、ユーザの好みや使用状況に合わせたサムネイル画像の表示が可能となり、より使い勝手のよい光ディスク装置を提供することができる。
【００６１】
なお、上記実施形態では、光ディスク１に保存されている画像ファイルを静止画ファイルとして説明しているが、動画ファイルまたは静止画ファイルのいずれのファイルであっても、またはその両方であってもよい。動画ファイルとしてはＭＰＥＧファイルがあり、静止画ファイルとしてはＪＰＥＧファイルがある。画像データが動画データである場合には、予め定められた任意の1フレームを抽出してサムネイル画像を生成することが可能であり、これは従来から行われていることである。
【００６２】
また、上記実施形態では、請求項に記載の第１メモリ部をＤＶＤ（Digital Versatile Disk）やＢＤ（Blu-ray Disc）等の光ディスク１としているが、内蔵のハードディスク（ＨＤ）や半導体メモリ等であってもよい。
【図面の簡単な説明】
【００６３】
【図１】本発明の光ディスク装置のシステム構成図である。
【図２】本発明の実施例１に係るサムネイル画像生成及び表示処理の処理手順を示すフローチャートである。
【図３】本発明の実施例１に係るサムネイル画像記憶領域へのサムネイル画像の保存更新処理手順を示すフローチャートである。
【図４】本発明の実施例２に係るサムネイル画像生成及び表示処理の処理手順を示すフローチャートである。
【符号の説明】
【００６４】
１  光ディスク
２  スピンドルモータ
３  光ピックアップ
４  フィードモータ
５  ＲＦアンプ
６  ＤＲＡＭ（メモリバッファ）
７  デジタル信号処理回路
８  レーザドライバ
９  サーボ処理回路
１０  システムコントローラ
１１  メモリ部
１１ａ  サムネイル画像記憶領域
１２  Ｄ／Ａ変換回路
１３  表示パネル
１４  受信部
１５  キー入力部
１６  チューナ回路
１８  リモコン送信機
２１  表示装置
【図１】
2009290391.tif 000003
【図２】
2009290391.tif 000004
【図３】
2009290391.tif 000005
【図４】
2009290391.tif 000006